(57)【特許請求の範囲】
【請求項１】
本体に少なくとも１本の釣針が取り付けられ先端に連結された釣糸を引くことにより前記本体を前進させながらリップの作用により左右に揺動させて魚に見せかけ本物の魚を前記釣針で釣るようにしたルアーにおいて、前記本体の長手方向中央付近から前方に配設され中空部が形成された固定ウェイトと、該固定ウェイトから前記本体の後方に向かって形成され前記固定ウェイトの前記中空部に連通した中空の転動ガイド部と、前記ルアーのキャスト時には前記転動ガイド部内を前方から後方に転動して前記本体の後方に移動すると共にスウィム時には前記転動ガイド部内を後方から前方に転動して前記固定ウェイトの前記中空部内に移動して停止收容される移動ウェイトとを備え、前記ルアーのキャスト時には前記移動ウェイトの後方移動により前記本体全体の揺動中心に対する慣性モーメントを非常に大きくして姿勢を安定させ、スウィム時には全ウェイトを前記本体の長手方向中央付近から先端付近に集中させて前記本体の前記慣性モーメントを小さくして揺動し易くするように構成したことを特徴とするルアー。
【請求項２】
本体に少なくとも１本の釣針が取り付けられ先端に連結された釣糸を引くことにより前記本体を前進させながらリップの作用により左右に揺動させて魚に見せかけ本物の魚を前記釣針で釣るようにしたルアーにおいて、前記本体の前方に配設され中空部が形成されかつ該中空部の行止り部が磁石で構成された固定ウェイトと、該固定ウェイトから前記本体の後方に向かって形成され前記固定ウェイトの前記中空部に連通した中空の転動ガイド部と、前記ルアーのキャスト時には前記行止り部の磁力に抗して前記転動ガイド部内を前方から後方に転動して前記本体の後方に移動すると共にスウィム時には前記転動ガイド部内を後方から前方に転動して前記固定ウェイトの前記中空部内に移動し前記磁力によって前記行止り部に吸着されて前記中空部内に停止收容される移動ウェイトとを備え、前記ルアーのキャスト時には前記移動ウェイトの後方移動により前記本体全体の揺動中心に対する慣性モーメントを非常に大きくして姿勢を安定させ、スウィム時には全ウェイトを前記本体の長手方向中央付近から先端付近に集中させて前記本体の前記慣性モーメントを小さくして揺動し易くするように構成したことを特徴とするルアー。
【請求項３】
補助ウェイトを前記固定ウェイトよりも前方又は後方の前記本体内に固定して配設したことを特徴とする請求項１又は請求項２に記載のルアー。
【発明の詳細な説明】
【０００１】
【発明の属する技術分野】
本発明は、ルアーに係り、特に固定ウェイトに移動ウェイトを收容可能な中空部を形成することで、ルアーのキャスト時には、固定ウェイトの中空部に收容されていた移動ウェイトを本体後方に移動させ、スウィム時には該移動ウェイトを後方から固定ウェイトの中空部内に移動させて停止収容することにより、本体の揺動中心に対する慣性モーメントをキャスト時には非常に大きくしてルアーの姿勢を安定させて飛距離を増大させると共に、スウィム時には固定ウェイト及び移動ウェイトからなる全ウェイトを先端付近に集中させることにより本体の慣性モーメントを小さくして揺動し易くし、きびきびとしたキレの良いアクションを発生させ、飛距離の向上とキレの良いアクションとの相反する機能を両立させて良好な釣果を上げられるようにしたルアーに関する。
【０００２】
【従来の技術】
ブラックバス等の釣りにおいては、疑似餌として形状を魚に似せて製作されたルアーを用いて釣ることが一般的に行われている。良好な釣果を上げるためルアーに必要な機能としては、大きな飛距離及び、本物の魚と同様のきびきびとしたキレの良いアクション（揺動運動）が要求される。飛距離が増大すれば、それだけ釣りのエリアを拡大することができ、またキレの良いアクションは、より本物の魚に近い行動をさせることでブラックバスの食い付きを良くすることができ、結果として釣果の向上につなげることができる。
【０００３】
ルアーの飛距離を向上させるためには、本体を尾部から安定した姿勢で飛行させることが重要であり、このためにはウェイトを本体の長手方向に対して分散させて配置し、揺動中心に対する慣性モーメントを大きくする必要がある。また、キレの良いアクションを実現させるためには、ウェイトを出来るだけ集中させ本体前部に位置する揺動中心に対する慣性モーメントを小さくして揺動し易くしなければならず、飛距離の向上とキレの良いアクションとは、互いに相反する特性を有し、両立させることは極めて困難であった。
【０００４】
従来のルアー１は、上記した相反する特性をある程度ずつ満足させるように、バランスを取った形で実現させていた。即ち、図１６において、合成樹脂等により形状を魚に似せて製作された本体２内に２箇所のウェイト收容室２ａを設け、該ウェイト收容室２ａ内に夫々ウェイト３を收容し、該ウェイト３が本体２内に固定された構造となっていた。本体２の下方及び尾部２ｂには、釣針４が揺動自在に連結され、前端に固定して設けられたラインアイ５には、釣竿８のリール（図示せず）に巻き付けられた釣糸６の一端が固定されている。
【０００５】
２つのウェイト３を大きく離間させることなく、前後に分散させて配置することによって、揺動中心に対する慣性モーメントをある程度の大きさとなるように設定し、飛距離の向上と、キレのあるアクションとの相反する両特性をバランスを取って実現させるようにしていた。これにより、釣竿８を矢印Ｂ方向に振って行われるキャスト時には、本体２の姿勢がそれほど崩れずに飛行して、そこそこの飛距離を確保することができ、またスウィム時には本体２が左右に揺動するアクションを得るようにしていた。しかし、相反する両特性を両立させるようにしているため、両特性とも十分なものではなく、より釣果を上げるためには、上述した相反する両特性を同時に、かつ完全に満足させることが可能なルアーが熱望されていた。
【０００６】
また、従来の他のルアーとしては、キレのあるアクションを重視してウェイトを本体内の一点に固定して集中配置したものが提案されている。該ルアーは、揺動中心に対する慣性モーメントが小さくなっているので、揺動し易く、理想的なきびきびとしてキレのあるアクションを得ることができるが、慣性モーメントが小さいためキャスト時に本体がふらつき、姿勢が安定しない状態で飛行して、結果として飛距離がかせげないという欠点があった。
【０００７】
上記問題を解決するルアーとして、固定ウェイトと移動ウェイトとを本体内に配設し、キャスト時に移動ウェイトを本体後方に移動させて揺動中心に対する慣性モーメントを大きくし、スウィム時には移動ウェイトを固定ウェイト近傍の前方に移動させて該慣性モーメントを小さくするようにしたものも提案されているが、固定ウェイトと移動ウェイトとを一体にすることはできず、夫々が分離された状態で別の場所に收容されるため、揺動中心に対する慣性モーメントを十分小さくすることができず、満足すべきキレのあるアクションを得ることができない欠点があった。
【０００８】
【発明が解決しようとする課題】
本発明は，上記した従来技術の欠点を除くためになされたものであって、その目的とするところは、中空部が形成された固定ウェイトを本体の長手方向中央付近から前方に配設すると共に、該中空部に連通して本体の後方に向かって形成された転動ガイド部内を前方から後方に、又は後方から前方に移動可能とされた移動ウェイトを設け、キャスト時には移動ウェイトを本体の後方に移動させて本体全体の揺動中心に対する慣性モーメントを非常に大きくし、安定した姿勢で飛行できるようにすると共に、スウィム時には該移動ウェイトを固定ウェイトの中空部内に收容して全ウェイトを本体の長手方向中央付近から先端付近に集中させて本体の慣性モーメントを小さくして揺動し易くすることによって、ルアーの飛距離の増大と、きびきびとした本物の魚の動きに極めて近似したキレの良いアクションを同時に実現させることができるようにすることであり、またこれによって釣りのエリアを拡大できるようにすると共に、魚の食い付きをよくして良好な釣果を上げることができるようにすることである。
【０００９】
また他の目的は、中空部が形成された固定ウェイトの行止り部を磁石で構成すると共に、移動ウェイトを磁性体で製作することによって、スウィム時に移動ウェイトを磁力で行止り部に吸着させて收容し、障害物に当たって多少本体の姿勢が加速度により変化したり、又は本体がどんな方向に移動しても、移動ウェイトを安定して固定ウェイトの中空部内に停止させておくことができるようにすることであり、またこれによって常に安定したキレのよいアクションを確実に得ることができるようにすることである。
【００１０】
更に他の目的は、磁石による移動ウェイトの吸着力を、キャスト時に移動ウェイトに作用する遠心力よりも小さな磁力となるように設定することにより、キャスト時に該移動ウェイトを磁力に抗して固定ウェイトから離間させて後方に移動させることができるようにすることであり、またこれによってキャスト時の本体全体の揺動中心に対する慣性モーメントを非常に大きくして、飛行姿勢の安定と飛行距離の増大を図ることである。
【００１１】
また他の目的は、上記移動ウェイト及び固定ウェイトに付加して、補助ウェイトを固定ウェイトよりも前方又は後方の本体内に固定して配設することにより、本体全体の重量バランスを調節して水中でルアーが極端に浮き上がったり、沈み過ぎたりしないように調整することができるようにすることである。
【００１２】
【課題を解決するための手段】
要するに本発明（請求項１）は、本体に少なくとも１本の釣針が取り付けられ先端に連結された釣糸を引くことにより前記本体を前進させながらリップの作用により左右に揺動させて魚に見せかけ本物の魚を前記釣針で釣るようにしたルアーにおいて、前記本体の長手方向中央付近から前方に配設され中空部が形成された固定ウェイトと、該固定ウェイトから前記本体の後方に向かって形成され前記固定ウェイトの前記中空部に連通した中空の転動ガイド部と、前記ルアーのキャスト時には前記転動ガイド部内を前方から後方に転動して前記本体の後方に移動すると共にスウィム時には前記転動ガイド部内を後方から前方に転動して前記固定ウェイトの前記中空部内に移動して停止收容される移動ウェイトとを備え、前記ルアーのキャスト時には前記移動ウェイトの後方移動により前記本体全体の揺動中心に対する慣性モーメントを非常に大きくして姿勢を安定させ、スウィム時には全ウェイトを前記本体の長手方向中央付近から先端付近に集中させて前記本体の前記慣性モーメントを小さくして揺動し易くするように構成したことを特徴とするものである。
【００１３】
また本発明（請求項２）は、本体に少なくとも１本の釣針が取り付けられ先端に連結された釣糸を引くことにより前記本体を前進させながらリップの作用により左右に揺動させて魚に見せかけ本物の魚を前記釣針で釣るようにしたルアーにおいて、前記本体の前方に配設され中空部が形成されかつ該中空部の行止り部が磁石で構成された固定ウェイトと、該固定ウェイトから前記本体の後方に向かって形成され前記固定ウェイトの前記中空部に連通した中空の転動ガイド部と、前記ルアーのキャスト時には前記行止り部の磁力に抗して前記転動ガイド部内を前方から後方に転動して前記本体の後方に移動すると共にスウィム時には前記転動ガイド部内を後方から前方に転動して前記固定ウェイトの前記中空部内に移動し前記磁力によって前記底部に吸着されて前記中空部内に停止收容される移動ウェイトとを備え、前記ルアーのキャスト時には前記移動ウェイトの後方移動により前記本体全体の揺動中心に対する慣性モーメントを非常に大きくして姿勢を安定させ、スウィム時には全ウェイトを前記本体の長手方向中央付近から先端付近に集中させて前記本体の前記慣性モーメントを小さくして揺動し易くするように構成したことを特徴とするものである。
【００１４】
また本発明（請求項３）は、上記ルアーであって、補助ウェイトを前記固定ウェイトよりも前方又は後方の前記本体内に固定して配設したことを特徴とするものである。
【００１５】
【発明の実施の形態】
以下本発明を図面に示す実施例に基いて説明する。図１から図４において、本発明に係るルアー１０は、固定ウェイト１１と、転動ガイド部１２ａと、移動ウェイト１３とを備えている。
【００１６】
図１、図３及び図４において、ルアー１０は、本体１２が合成樹脂等により外形形状を魚に似せて製作されており、該本体１２の腹部１２ｂ及び尾部１２ｃに釣針１４が揺動自在に連結され、前端に固定して設けられたラインアイ１５には、図１２も参照して、釣竿１８のリール（図示せず）に巻き付けられた釣糸１６の一端が固定されている。また、ラインアイ１５の下方には、合成樹脂等で製作された板状のリップ１２ｄが前方下方に向かって突出して形成されている。
【００１７】
固定ウェイト１１は、図２において、本体１２の前方に位置し、本体１２と一体成形する等の手段によって該本体１２内に固定されている。本体１２内に固定された固定ウェイト１１からは、本体１２の後方に向かって中空の転動ガイド部１２ａが形成されており、該転動ガイド部１２ａの一端は固定ウェイト１１の中空部１１ａに連通し、他端は閉鎖されて袋状に形成されている。
【００１８】
図２及び図５から図８に示す第１実施例の固定ウェイト１１は、中心に有底の中空部１１ａが形成された中空六角柱状に金属を加工して製作されている。また移動ウェイト１３は、鋼やタングステン等の金属で製作された玉であり、中空部１１ａの直径よりも小さな直径となっており、該中空部１１ａ内に容易に收容できるようになっている。
また中空部１１ａは、図示のような閉空間に限定されるものではなく、固定ウェイト１１を、２枚の板（図示せず）を直立させて平行に配置したものとして、この２枚の板の中間に移動ウェイト１３が収容されるようにしたものであってもよい。
更に、固定ウェイト１１の形状は、六角柱に限定されるものではなく、四角柱や八角柱等の多角柱でもよく、柱状に限らず、屋根開き形やＵ字形に形成してもよい。また無底にして、本体１２のリブ等（図示せず）に押し当てるようにしてもよい。
【００１９】
また図９及び図１０に示す第２実施例の固定ウェイト２１は、貫通する中空部２２ａが形成された金属性の中空六角柱部材２２と、磁石等の磁性材料を六角形の板状に成形した磁力を有する底板２３とからなり、該底板２３を中空六角柱部材２２の一端に固着して中空部２２ａの一端を閉鎖するようになっている。また、移動ウェイト２４は、鉄等の磁性体で製作された玉であり、磁力により底板２３に吸着されて中空部２２ａ内に安定して收容されるように構成されている。
【００２０】
また図２において、本発明の主要な構成は上記のように構成されているが、必要に応じて補助ウェイト３１を本体１２内の固定ウェイト１１よりも前方又は後方側に固定して配設することもできる。
【００２１】
本発明は、上記のように構成されており、以下その作用について説明する。図１１及び図１２において、ルアー１０のキャスティングは、釣り人２５が釣竿１８を図１１の仮想線で示す後方位置に起立させて位置させた後、振り出すことによってルアー１０を前方に飛行させ、目的の着水点２６Ａに投下して行われる。釣竿１８の振出し中、ルアー１０は、図１２に示すように、釣糸１６によって制限され、ラインアイ１５が前方（釣竿１８に近い側）に位置し、尾部１２ｃが後方を向いた状態となって振り出される。このとき、移動ウェイト１３は、收容されていた固定ウェイト１１の中空部１１ａから抜け出し、慣性力によって転動ガイド部１２ａ内を前方から後方に転動して固定ウェイト１１から最も離間した尾部１２ｃに位置している。
【００２２】
釣竿１８の振出しが終了して該釣竿１８の運動が停止すると、ルアー１０は慣性力によって前方に飛行するが、釣糸１６を繰り出すときに生じる抵抗がラインアイ１５に作用してルアー１０の向きが反転し、尾部１２ｃが前方に向いた状態で飛行する。
【００２３】
ここで、揺動中心から固定ウェイト１１及び移動ウェイト１３までの距離を夫々Ｒｆ，Ｒｍ、固定ウェイト１１及び移動ウェイト１３の質量を夫々ｍｆ，ｍｍとすると、揺動中心に対するルアー１０の慣性モーメントＩは、Ｉ＝Ｒｆ×ｍｆ＋Ｒｍ×ｍｍとなる。固定ウェイト１１及び移動ウェイト１３の質量ｍｆ，ｍｍは常に一定値であるが、揺動中心から固定ウェイト１１及び移動ウェイト１３までの距離Ｒｆ，Ｒｍは、前述したようにルアー１０の飛行時には固定ウェイト１１及び移動ウェイト１３が最も離間した位置にあり、最大値となっているので、揺動中心に対する本体１２の慣性モーメントＩも上式から最大値となり、本体１２は揺動し難い状態となっている。
【００２４】
従って、ルアー１０は空気の抵抗を受けても揺動することなく、尾部１２ｃを前方に向けて安定した姿勢で飛行し、結果として、より遠方の着水点２６Ａまで飛行し、従来のルアー１を用いた時の着水点２６Ｂに比較して飛距離を延ばすことができる。
【００２５】
慣性モーメントＩが大きいと、ルアー１０が揺動し難くなる理由は、以下による。即ち、質量ｍの物体が回転中心から半径ｒの円周上を角速度ωで回転しているときの力のモーメントＮは、Ｎ＝Ｉ×ｄω／ｄｔとして表される。ここで、ｔは時間であり、ｄω／ｄｔは、角速度ωを時間ｔで微分して得られる角加速度である。一方慣性モーメントＩは、Ｉ＝ｍｒ2 で表され、これを上式に代入すると、Ｎ＝Ｉ×ｄω／ｄｔ＝ｍｒ2 ×ｄω／ｄｔとなる。上式を変形すると、ｄω／ｄｔ＝Ｎ／Ｉ＝Ｎ／ｍｒ2 となり、半径ｒが大きくなると半径ｒの二乗に反比例して角加速度ｄω／ｄｔが小さくなることによる。
【００２６】
一方、図１３から図１５において、スウィム時に釣糸１６が矢印Ｃ方向に引かれると、これに伴なってルアー１０も、やや水中に潜る方向、矢印Ｄ方向に進行して転動ガイド部１２ａが前傾するので、それまで転動ガイド部１２ａの突き当たり（固定ウェイト１１から最も離間している位置）にあった移動ウェイト１３は、転動ガイド部１２ａ内を後方から前方に転動して固定ウェイト１１の中空部１１ａ内に收容されて停止する。
【００２７】
このとき、ルアー１０の重心は固定ウェイト１１の位置にあり、一方ルアー１０の揺動中心は、ルアー１０の重心とほぼ同一位置となるので、慣性モーメントＩ＝ｍｒ2 の式においてｒが略０となり、慣性モーメントＩも略０の極めて小さい値となっている。
【００２８】
一方、釣糸１６に引かれて矢印Ｄ方向に進行するルアー１０には、本体１２の前部から板状のリップ１２ｄが突出して形成されているので、水中でルアー１０の矢印Ｄ方向への前進に伴なって、該リップ１２ｄの後方に虚ろな部分が生じ、いわゆるカルマン渦がリップ１２ｄの後方に、左右交互に形成される。カルマン渦の圧力は、リップ１２ｄの前方の圧力に比較して低いので、該圧力差によって該リップ１２ｄを左右交互に後方に押す力が作用し、本体１２を揺動させようとする力が働く。
【００２９】
このとき、ルアー１０の揺動中心に対する慣性モーメントＩは、上述したように極めて小さい値となっており、角加速度ｄω／ｄｔは、ｄω／ｄｔ＝Ｎ／Ｉ＝Ｎ／ｍｒ2 の式から分かるとおり大きくなって、図１４において、本体１２に大きな角加速度ｄω／ｄｔが作用して、該本体１２を揺動中心であるルアー１０の重心Ｇを中心として矢印Ｅ及びＦ方向にきびきびとキレの良いアクションで揺動させる。これに伴なって釣針１４も矢印Ｈ及びＪ方向に揺動する。
【００３０】
実際にはルアー１０は、釣糸１６に引かれて矢印Ｄ方向に進行しているので、図１５において、該前進運動と揺動運動とが合成されて運動し、ルアー１０は左右に揺動しながら矢印Ｋ方向に前進し、疑似魚行動を行う。
【００３１】
また、図９及び図１０に示す第２実施例の固定ウェイト２１及び移動ウェイト２４を本体１２内に配設したルアー１０においては、スウィム時に移動ウェイト２４は磁力によって底板２３に吸着されているので、釣糸１６を引く動作を中断したり、障害物に当たってルアー１０の姿勢が不安定となっても、移動ウェイト２４が底板２３から離れることはなく、安定して中空部２２ａ内に停止收容されて慣性モーメントＩが小さい状態に保たれている。このため、釣糸１６を引くと直ちに、きびきびとキレの良いアクションを再開する。
【００３２】
また本体全体の重量バランスから水中でルアーが極端に浮き上がったり、沈み過ぎたりするような場合には、必要に応じて補助ウェイト３１を固定ウェイト１１よりも前方又は後方の本体１２内に固定して配置し、本体全体の重量バランスを調節してもよい。この場合には、ウェイトが分散されるので、スウィム時の慣性モーメントＩが多少大きくなり、揺動アクションのキレが多少悪くなる傾向にある。
【００３３】
上述したように、従来は不可能と考えられていた、飛距離の向上ときびきびしたキレの良いアクションとの相反する両特性を理想的な特性を持たせて両立させたので、良好な釣果を達成することができる。
【００３４】
【発明の効果】
本発明は、上記のように中空部が形成された固定ウェイトを本体の長手方向中央付近から前方に配設すると共に、該中空部に連通して本体の後方に向かって形成された転動ガイド部内を前方から後方に、又は後方から前方に移動可能とされた移動ウェイトを設け、キャスト時には移動ウェイトを本体の後方に移動させて本体全体の揺動中心に対する慣性モーメントを非常に大きくし、安定した姿勢で飛行できるようにすると共に、スウィム時には該移動ウェイトを固定ウェイトの中空部内に收容して全ウェイトを本体の長手方向中央付近から先端付近に集中させて本体の慣性モーメントを小さくして揺動し易くしたので、ルアーの飛距離の増大と、きびきびとした本物の魚の動きに極めて近似したキレの良いアクションを同時に実現させることができる効果があり、またこの結果釣りのエリアを拡大できると共に、魚の食い付きをよくして良好な釣果を上げることができる効果がある。
【００３５】
また中空部が形成された固定ウェイトの行止り部を磁石で構成すると共に、移動ウェイトを磁性体で製作したので、スウィム時に移動ウェイトを磁力で行止り部に吸着させて收容し、波等の外力が作用して多少本体の姿勢が加速度により変化したり、又は本体がどんな方向に移動しても、移動ウェイトを安定して固定ウェイトの中空部内に停止させておくことができる効果があり、またこの結果常に安定したキレのよいアクションを確実に得ることができるという効果が得られる。
【００３６】
更には、磁石による移動ウェイトの吸着力を、キャスト時に移動ウェイトに作用する遠心力よりも小さな磁力となるように設定することで、キャスト時に該移動ウェイトを磁力に抗して固定ウェイトから離間させて後方に移動させることができ、またこの結果キャスト時の本体全体の揺動中心に対する慣性モーメントを非常に大きくして、飛行姿勢の安定と飛行距離の増大を図ることができる効果がある。
【００３７】
また他の目的は、上記移動ウェイト及び固定ウェイトに付加して、補助ウェイトを固定ウェイトよりも前方又は後方の本体内に固定して配設したので、本体全体の重量バランスを調節して水中でルアーが極端に浮き上がったり、沈み過ぎたりしないように調整することができる効果がある。
【図面の簡単な説明】
【図１】図１から図１５は本発明の実施例に係り、図１はルアーの側面図である。
【図２】ルアーの縦断面図である。
【図３】ルアーの平面図である。
【図４】ルアーの正面図である。
【図５】図５から図８は固定ウェイト及び移動ウェイトの第１実施例に係り、図５は固定ウェイトの中空部に移動ウェイトが収容された状態を示す固定ウェイトの部分破断斜視図である。
【図６】固定ウェイト及び移動ウェイトの斜視図である。
【図７】移動ウェイトが固定ウェイトの中空部に收容された状態を示す正面図である。
【図８】移動ウェイトが固定ウェイトの中空部に收容された状態を示す縦断面図である。
【図９】図９及び図１０は固定ウェイト及び移動ウェイトの第２実施例に係り、図９は磁力により吸着されて固定ウェイトの中空部に移動ウェイトが收容された状態を示す固定ウェイトの部分破断斜視図である。
【図１０】移動ウェイト及び固定ウェイトの分解斜視図である。
【図１１】本発明ルアーのキャスティング時の飛距離を従来例と比較して示す斜視図である。
【図１２】キャスティング時の固定ウェイト及び移動ウェイトの状態を示す縦断面図である。
【図１３】スウィム時の固定ウェイト及び移動ウェイトの状態を示す縦断面図である。
【図１４】スウィム時にルアーが左右に揺動する状態を示す平面図である。
【図１５】ルアーが左右にきびきびと揺動しながら前進し、疑似魚行動を行う状態を示す平面図である。
【図１６】従来例に係り、キャスト時のウェイトの状態を示す縦断面図である。
【符号の説明】
１０      ルアー
１１      固定ウェイト
１１ａ    中空部
１２      本体
１２ａ    転動ガイド部
１２ｄ    リップ
１３      移動ウェイト
１４      釣針
１６      釣糸
２１      固定ウェイト
２２ａ    中空部
２３      行止り部の一例たる底板
２４      移動ウェイト
３１      補助ウェイト
Ｉ        慣性モーメント
【図１】
0003930763.tif 000002
【図２】
0003930763.tif 000003
【図３】
0003930763.tif 000004
【図４】
0003930763.tif 000005
【図５】
0003930763.tif 000006
【図６】
0003930763.tif 000007
【図７】
0003930763.tif 000008
【図８】
0003930763.tif 000009
【図９】
0003930763.tif 000010
【図１０】
0003930763.tif 000011
【図１１】
0003930763.tif 000012
【図１２】
0003930763.tif 000013
【図１３】
0003930763.tif 000014
【図１４】
0003930763.tif 000015
【図１５】
0003930763.tif 000016
【図１６】
0003930763.tif 000017